【手続補正書】
【提出日】平成19年7月24日(2007.7.24)
【手続補正１】
【補正対象書類名】明細書
【補正対象項目名】発明の名称
【補正方法】変更
【補正の内容】
【発明の名称】画像記録装置および画像記録方法
【手続補正２】
【補正対象書類名】明細書
【補正対象項目名】特許請求の範囲
【補正方法】変更
【補正の内容】
【特許請求の範囲】
【請求項１】  画像データに基づき画像を用紙に記録する記録手段と、
前記記録手段により画像が記録された用紙が排紙される複数のビンと、
複数の画像データと、該複数の画像データのそれぞれは複数の属性を有し各属性は属性情報を有するものである、そのような各画像データの属性データとを記憶する着脱式のメモリを装着する装着手段と、
前記複数の属性のうちの一つの属性を指定する指定手段と、
前記指定手段により指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定手段と、
各ビンに排紙された用紙に記録された画像の属性を識別する識別情報を出力する出力手段と
を有することを特徴とする画像記録装置。
【請求項２】  前記画像データは、デジタルカメラで撮影された画像データであり、前記属性情報は、デジタルカメラで付加されたものであることを特徴とする請求項１記載の画像記録装置。
【請求項３】  前記属性は、タイトル、撮影日、または配布ユーザを含むことを特徴とする請求項１記載の画像記録装置。
【請求項４】  前記出力手段は、各ビンに排紙された用紙に記録された属性を識別する識別情報を各ビンごとに記録することを特徴とする請求項１記載の画像記録装置。
【請求項５】  前記出力手段は、各ビンに排紙された用紙に記録された属性を識別する識別情報の一覧を記録することを特徴とする請求項１記載の画像記録装置。
【請求項６】  画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段とを有する画像記録装置における画像記録方法であって、
前記複数の属性のうちの一つの属性を指定する指定ステップと、
前記指定ステップにより指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定ステップと、
各ビンに排紙された用紙に記録された画像の属性を識別する識別情報を出力する出力ステップと
を有することを特徴とする画像記録方法。
【請求項７】  前記画像データは、デジタルカメラで撮影された画像データであり、前記属性情報は、デジタルカメラで付加されたものであることを特徴とする請求項６記載の画像記録方法。
【請求項８】  前記属性は、タイトル、撮影日、または配布ユーザを含むことを特徴とする請求項６記載の画像記録方法。
【請求項９】  前記出力ステップは、各ビンに排紙された用紙に記録された属性を識別する識別情報を各ビンごとに記録することを特徴とする請求項６記載の画像記録方法。
【請求項１０】  前記出力ステップは、各ビンに排紙された用紙に記録された属性を識別する識別情報の一覧を記録することを特徴とする請求項６記載の画像記録方法。
【手続補正３】
【補正対象書類名】明細書
【補正対象項目名】０００１
【補正方法】変更
【補正の内容】
【０００１】
【発明の属する技術分野】
本発明は、情報記憶媒体または情報記憶装置に記憶されている画像情報および画像付属情報を取得して複数の排紙口を画像記録装置または複数の排紙口を有するオプション装置を接続可能な画像記録装置の排紙口に、所定の画像データを所定の出力制御方法で印刷出力を行う画像記録装置および画像記録方法に関するものである。
【手続補正４】
【補正対象書類名】明細書
【補正対象項目名】００２７
【補正方法】変更
【補正の内容】
【００２７】
【課題を解決するための手段】
請求項１の発明は、画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段と、前記複数の属性のうちの一つの属性を指定する指定手段と、前記指定手段により指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定手段と、各ビンに排紙された用紙に記録された画像の属性を識別する識別情報を出力する出力手段とを有することを特徴とする。
【手続補正５】
【補正対象書類名】明細書
【補正対象項目名】００２８
【補正方法】変更
【補正の内容】
【００２８】
請求項１において、前記画像データは、デジタルカメラで撮影された画像データであり、前記属性情報は、デジタルカメラで付加されたものであることができる。
【手続補正６】
【補正対象書類名】明細書
【補正対象項目名】００２９
【補正方法】変更
【補正の内容】
【００２９】
請求項１において、前記属性は、タイトル、撮影日、または配布ユーザを含むことができる。
【手続補正７】
【補正対象書類名】明細書
【補正対象項目名】００３０
【補正方法】変更
【補正の内容】
【００３０】
請求項１において、前記出力手段は、各ビンに排紙された用紙に記録された属性を識別する識別情報を各ビンごとに記録することができる。
【手続補正８】
【補正対象書類名】明細書
【補正対象項目名】００３１
【補正方法】変更
【補正の内容】
【００３１】
請求項１において、前記出力手段は、各ビンに排紙された用紙に記録された属性を識別する識別情報の一覧を記録することができる。
【手続補正９】
【補正対象書類名】明細書
【補正対象項目名】００３２
【補正方法】変更
【補正の内容】
【００３２】
請求項６の発明は、画像データに基づき画像を用紙に記録する記録手段と、前記記録手段により画像が記録された用紙が排紙される複数のビンと、複数の画像データと、該複数の画像データのそれぞれは複数の属性を有し各属性は属性情報を有するものである、そのような各画像データの属性データとを記憶する着脱式のメモリを装着する装着手段とを有する画像記録装置における画像記録方法であって、前記複数の属性のうちの一つの属性を指定する指定ステップと、前記指定ステップにより指定された属性の前記着脱式のメモリに記憶された属性情報に基づき、同じ属性情報を持つ画像データが記録された複数の用紙が同じビンに排紙されるように前記記録手段により画像が記録された用紙の排紙先のビンを決定する決定ステップと、各ビンに排紙された用紙に記録された画像の属性を識別する識別情報を出力する出力ステップとを有することを特徴とする。
【手続補正１０】
【補正対象書類名】明細書
【補正対象項目名】００３３
【補正方法】変更
【補正の内容】
【００３３】
請求項６において、前記画像データは、デジタルカメラで撮影された画像データであり、前記属性情報は、デジタルカメラで付加されたものであることができる。
【手続補正１１】
【補正対象書類名】明細書
【補正対象項目名】００３４
【補正方法】変更
【補正の内容】
【００３４】
請求項６において、前記属性は、タイトル、撮影日、または配布ユーザを含むことができる。
【手続補正１２】
【補正対象書類名】明細書
【補正対象項目名】００３５
【補正方法】変更
【補正の内容】
【００３５】
請求項６において、前記出力ステップは、各ビンに排紙された用紙に記録された属性を識別する識別情報を各ビンごとに記録することができる。
【手続補正１３】
【補正対象書類名】明細書
【補正対象項目名】００３６
【補正方法】変更
【補正の内容】
【００３６】
請求項６において、前記出力ステップは、各ビンに排紙された用紙に記録された属性を識別する識別情報の一覧を記録することができる。
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】削除
【補正の内容】
【手続補正２７】
【補正対象書類名】明細書
【補正対象項目名】００５０
【補正方法】削除
【補正の内容】
【手続補正２８】
【補正対象書類名】明細書
【補正対象項目名】００５１
【補正方法】削除
【補正の内容】
【手続補正２９】
【補正対象書類名】明細書
【補正対象項目名】００５２
【補正方法】削除
【補正の内容】
【手続補正３０】
【補正対象書類名】明細書
【補正対象項目名】００５３
【補正方法】削除
【補正の内容】
【手続補正３１】
【補正対象書類名】明細書
【補正対象項目名】００５４
【補正方法】削除
【補正の内容】
【手続補正３２】
【補正対象書類名】明細書
【補正対象項目名】００５５
【補正方法】削除
【補正の内容】
【手続補正３３】
【補正対象書類名】明細書
【補正対象項目名】００５６
【補正方法】削除
【補正の内容】
【手続補正３４】
【補正対象書類名】明細書
【補正対象項目名】００５７
【補正方法】削除
【補正の内容】
【手続補正３５】
【補正対象書類名】明細書
【補正対象項目名】００５８
【補正方法】削除
【補正の内容】
【手続補正３６】
【補正対象書類名】明細書
【補正対象項目名】００５９
【補正方法】削除
【補正の内容】
【手続補正３７】
【補正対象書類名】明細書
【補正対象項目名】００６０
【補正方法】削除
【補正の内容】
【手続補正３８】
【補正対象書類名】明細書
【補正対象項目名】００６１
【補正方法】削除
【補正の内容】
【手続補正３９】
【補正対象書類名】明細書
【補正対象項目名】００６２
【補正方法】削除
【補正の内容】
【手続補正４０】
【補正対象書類名】明細書
【補正対象項目名】００６３
【補正方法】削除
【補正の内容】
【手続補正４１】
【補正対象書類名】明細書
【補正対象項目名】００６４
【補正方法】削除
【補正の内容】
【手続補正４２】
【補正対象書類名】明細書
【補正対象項目名】００６５
【補正方法】削除
【補正の内容】
【手続補正４３】
【補正対象書類名】明細書
【補正対象項目名】００６６
【補正方法】削除
【補正の内容】
【手続補正４４】
【補正対象書類名】明細書
【補正対象項目名】００６７
【補正方法】削除
【補正の内容】
【手続補正４５】
【補正対象書類名】明細書
【補正対象項目名】００６８
【補正方法】削除
【補正の内容】
【手続補正４６】
【補正対象書類名】明細書
【補正対象項目名】００６９
【補正方法】削除
【補正の内容】
【手続補正４７】
【補正対象書類名】明細書
【補正対象項目名】００７０
【補正方法】削除
【補正の内容】
【手続補正４８】
【補正対象書類名】明細書
【補正対象項目名】００７１
【補正方法】削除
【補正の内容】
【手続補正４９】
【補正対象書類名】明細書
【補正対象項目名】００７２
【補正方法】削除
【補正の内容】
【手続補正５０】
【補正対象書類名】明細書
【補正対象項目名】００７３
【補正方法】削除
【補正の内容】
【手続補正５１】
【補正対象書類名】明細書
【補正対象項目名】００７４
【補正方法】削除
【補正の内容】
【手続補正５２】
【補正対象書類名】明細書
【補正対象項目名】００７５
【補正方法】削除
【補正の内容】
【手続補正５３】
【補正対象書類名】明細書
【補正対象項目名】００７６
【補正方法】削除
【補正の内容】
【手続補正５４】
【補正対象書類名】明細書
【補正対象項目名】００７７
【補正方法】削除
【補正の内容】
【手続補正５５】
【補正対象書類名】明細書
【補正対象項目名】００７８
【補正方法】削除
【補正の内容】
【手続補正５６】
【補正対象書類名】明細書
【補正対象項目名】００７９
【補正方法】削除
【補正の内容】
【手続補正５７】
【補正対象書類名】明細書
【補正対象項目名】００８０
【補正方法】削除
【補正の内容】
【手続補正５８】
【補正対象書類名】明細書
【補正対象項目名】００８１
【補正方法】削除
【補正の内容】
【手続補正５９】
【補正対象書類名】明細書
【補正対象項目名】００８２
【補正方法】削除
【補正の内容】
【手続補正６０】
【補正対象書類名】明細書
【補正対象項目名】００８３
【補正方法】削除
【補正の内容】
【手続補正６１】
【補正対象書類名】明細書
【補正対象項目名】００８４
【補正方法】削除
【補正の内容】
【手続補正６２】
【補正対象書類名】明細書
【補正対象項目名】００８５
【補正方法】削除
【補正の内容】
【手続補正６３】
【補正対象書類名】明細書
【補正対象項目名】００８６
【補正方法】削除
【補正の内容】
【手続補正６４】
【補正対象書類名】明細書
【補正対象項目名】００８７
【補正方法】削除
【補正の内容】